(57)【要約】      （修正有）【課題】キャンプ用のテント、キャンピングカーなどの使用において外部からの音、特に余計な雨音を取り除くことができ、雨音に対する苦痛を改善し快適に過ごすことができる雨音軽減ネットを提供する。【解決手段】雨音軽減ネット１０は、キャンプ用テントまたはキャンピングカーなどの対象物を覆うように形成され、本体部１１と本体部幅調整部１２と支持部１３を有し、本体部は、網目を有し、網目に当たった雨が分散することで、対象物に当たる雨音を軽減する。また雨音軽減ネットは、先端がかぎ状の紐を用いてペグに引っ掛けて、キャンプ用テントの覆いを安定且つ固定させ、本体部幅調整部による縮みでたるんだ状態が保たれることにより、より雨音を軽減させる。【選択図】図１
0003230474.tif 000002
【実用新案登録請求の範囲】
【請求項１】
対象物を覆うように形成されており、前記対象物に雨が当たることにより発生する雨音を軽減させる雨音軽減ネットであり、
本体部と、前記本体部の幅を調整する本体部幅調整部と、前記本体部と一体的になるように形成されており前記対象物を覆っている状態を安定させるための支持部を有し、
前記本体部は、予め定められた横の幅と、予め定められた縦の幅を有しており、
前記本体部は、予め定められた横方向の間隔と、予め定められた縦方向の間隔を有している網目を有していることを特徴とする雨音軽減ネット。
【請求項２】
前記本体部は、ポリエチレンで形成されており、
前記本体部の予め定められた横の幅と前記本体部の予め定められた縦の幅のそれぞれは、略５．０ｍと略２．０ｍであり、
前記本体部の前記網目の定められた横方向の間隔と予め定められた縦方向の間隔のそれぞれは、略１．１０ｍｍと略１．１０ｍｍ、略１．２０ｍｍと略１．２０ｍｍ、または、略１.２３ｍｍと略１．２３ｍｍであることを特徴とする請求項１に記載の雨音軽減ネット。
【請求項３】
前記本体部は、２つ折りになるように構成されている２つ折り本体部であることを特徴とする請求項１または請求項２に記載の雨音軽減ネット。
【請求項４】
前記本体部と、前記２つ折り本体部を有し、前記２つ折り本体部の上部を前記本体部が覆うように構成されていることを特徴とする請求項３に記載の雨音軽減ネット。
【請求項５】
前記対象物は、キャンプ用テントであり、
前記支持部は、先端がかぎ状の部材を有する紐であり、
前記本体部幅調整部は、前記本体部の長手方向に設けられている紐またはゴムバンドであり、
前記紐またはゴムバンドを用いて前記本体部の長手方向を縮ませるようにして、前記先端がかぎ状の紐を用いてペグに引っ掛けて、前記キャンプ用テントの覆いを固定させることにより雨音を軽減させることを特徴とする請求項１から請求項４のいずれかに記載の雨音軽減ネット。
【請求項６】
前記対象物は、キャンプ用テントであり、
前記支持部は、先端がかぎ状の部材を有する紐であり、
前記本体部幅調整部は、前記本体部の長手方向の中央部分に設けられているゴムであり、
前記ゴムを用いて前記本体部の長手方向の中心部分を縮ませるようにして、前記先端がかぎ状の紐を用いてペグに引っ掛けて、前記キャンプ用テントの覆いを固定させることにより雨音を軽減させることを特徴とする請求項１から請求項４のいずれかに記載の雨音軽減ネット。
【請求項７】
前記対象物は、キャンピングカーであり、
前記支持部は、先端がマグネットで形成されている部材を有する紐であり、
前記本体部幅調整部は、前記本体部の長手方向に設けられている紐またはゴムバンドであり、
前記紐またはゴムバンドを用いて前記本体部の長手方向を縮ませるようにして、先端がマグネットで形成されている部材を用いて前記キャンピングカーに固着させて、前記キャンピングカーの覆いを固定させることにより雨音を軽減させることを特徴とする請求項１から請求項４のいずれかに記載の雨音軽減ネット。
【請求項８】
前記対象物は、キャンピングカーであり、
前記支持部は、先端がマグネットで形成されている部材を有する紐であり、
前記本体部幅調整部は、前記本体部の長手方向の中央部分に設けられているゴムであり、
前記紐ゴムを用いて前記本体部の長手方向の中心部分を縮ませるようにして、先端がマグネットで形成されている部材を用いて前記キャンピングカーに固着させて、前記キャンピングカーの覆いを固定させることにより雨音を軽減させることを特徴とする請求項１から請求項４のいずれかに記載の雨音軽減ネット。
【考案の詳細な説明】
【技術分野】
【０００１】
本考案は、雨音軽減ネットに関する。
【背景技術】
【０００２】
自然を楽しむアウトドアにおいて、ロッジ、宿舎、テントなどを利用して宿泊することがあり、特に、女性、中高年者、若者、家族など使用者はさまざまであるが、多種な機能を備えたキャンプ用テントが実用化されている。キャンプ用テントは、四季を通じて利用されるものであり、積雪期において変形したり潰れたりすることにより人命にも影響を与える重大な問題となることもあり、膜体と膜体上に設けられたフレームチューブとフレームチューブ内に挿入し、かつ膜体を張設するためのフレームを有するテントにおいてフレームチューブが断面三角形状となるように膜体に縫着されていることにより、強風、圧雪などの外圧に対して耐久力を有するキャンプ用テントが開示されている。また、従来のキャンプ用テントの膜体を多層膜とし、多層膜の膜間に多数の円筒状の空気管を列設したことでテント内部の音が外に漏れるのを防止する構成のものが開示されている。
【先行技術文献】
【特許文献】
【０００３】
【特許文献１】特開平８−１９９８５９号公報
【考案の概要】
【考案が解決しようとする課題】
【０００４】
キャンプ用などのテントにおいては、ポリエチレンなどが多く使用されており、他人の行動での物音、いびき、雨音など騒音が発生し苦痛を感じることが多く、このような騒音を軽減することが求められていた。
【０００５】
また、従来の対策は、例えば、キャンプ用のテントの内部の音が外に漏れることを防ぐものであり、外部からの音、特に、ポリエチレンなどで形成されているキャンプ用のテントの雨音に対する対策はされておらず、少しでも余計な音を取り除き、キャンプ用のテントの使用において快適に過ごすことが求められていた。
【０００６】
そこで本考案は、このような課題を解決するためになされたものであり、ポリエチレンなどで形成されているキャンプ用のテント、キャンピングカーなどの使用において外部からの音、特に余計な雨音を取り除くことができることにより、雨音に対する苦痛を改善することができ快適に過ごすことができる雨音軽減ネットを提供することである。
【課題を解決するための手段】
【０００７】
上記課題を解決するために、本考案に係る雨音軽減ネットは、対象物を覆うように形成されており、前記対象物に雨が当たることにより発生する雨音を軽減させる雨音軽減ネットであり、本体部と、前記本体部の幅を調整する本体部幅調整部と、前記本体部と一体的になるように形成されており前記対象物を覆っている状態を安定させるための支持部を有し、前記本体部は、予め定められた横の幅と、予め定められた縦の幅を有しており、前記本体部は、予め定められた横方向の間隔と、予め定められた縦方向の間隔を有している網目を有していることを特徴とする。
【０００８】
本考案に係る雨音軽減ネットの態様について、前記本体部は、ポリエチレンで形成されており、前記本体部の予め定められた横の幅と前記本体部の予め定められた縦の幅のそれぞれは、略５．０ｍと略２．０ｍであり、前記本体部の前記網目の定められた横方向の間隔と予め定められた縦方向の間隔のそれぞれは、略１．１０ｍｍと略１．１０ｍｍ、略１．２０ｍｍと略１．２０ｍｍ、または、略１.２３ｍｍと略１．２３ｍｍであることが好ましい。また、前記本体部は、２つ折りになるように構成されている２つ折り本体部であることが好ましく、また、前記本体部と、前記２つ折り本体部を有し、前記２つ折り本体部の上部を前記本体部が覆うように構成されていることが好ましい。
【０００９】
本考案に係る雨音軽減ネットの態様について、前記対象物は、キャンプ用テントであり、前記支持部は、先端がかぎ状の部材を有する紐であり、前記本体部幅調整部は、前記本体部の長手方向に設けられている紐またはゴムバンドであり、前記紐またはゴムバンドを用いて前記本体部の長手方向を縮ませるようにして、前記先端がかぎ状の紐を用いてペグに引っ掛けて、前記キャンプ用テントの覆いを固定させることにより雨音を軽減することが好ましい。
【００１０】
本考案に係る雨音軽減ネットの態様について、前記対象物は、キャンプ用テントであり、前記支持部は、先端がかぎ状の部材を有する紐であり、前記本体部幅調整部は、前記本体部の長手方向の中央部分に設けられているゴムであり、前記ゴムを用いて前記本体部の長手方向の中心部分を縮ませるようにして、前記先端がかぎ状の紐を用いてペグに引っ掛けて、前記キャンプ用テントの覆いを固定させることにより雨音を軽減することが好ましい。
【００１１】
本考案に係る雨音軽減ネットの態様について、前記対象物は、キャンピングカーであり、前記支持部は、先端がマグネットで形成されている部材を有する紐であり、前記本体部幅調整部は、前記本体部の長手方向に設けられている紐またはゴムバンドであり、前記紐またはゴムバンドを用いて前記本体部の長手方向を縮ませるようにして、先端がマグネットで形成されている部材を用いて前記キャンピングカーに固着させて、前記キャンピングカーの覆いを固定させることにより雨音を軽減することが好ましい。
【００１２】
本考案に係る雨音軽減ネットの態様について、前記対象物は、キャンピングカーであり、前記支持部は、先端がマグネットで形成されている部材を有する紐であり、前記本体部幅調整部は、前記本体部の長手方向の中央部分に設けられているゴムであり、前記紐ゴムを用いて前記本体部の長手方向の中心部分を縮ませるようにして、先端がマグネットで形成されている部材を用いて前記キャンピングカーに固着させて、前記キャンピングカーの覆いを固定させることにより雨音を軽減することが好ましい。
【考案の効果】
【００１３】
本考案によれば、ポリエチレンなどで形成されているキャンプ用のテント、キャンピングカーなどの使用において外部からの音、特に余計な雨音を取り除くことができることにより、雨音に対する苦痛を改善することができ快適に過ごすことができる雨音軽減ネットを提供することができる。
【図面の簡単な説明】
【００１４】
【図１】実施形態の雨音軽減ネットの一例を示す模式図である。
【図２】実施形態の雨音軽減ネットの使用の一例を示す参考図である。
【図３】実施形態の雨音軽減ネットの具体的な一例を示す参考図である。
【図４】実施形態の雨音軽減ネットの本体部に用いるネットの仕様の一例を示す参考図である。
【図５】実施形態の雨音軽減ネットの構成に応じた雨音の計測の一例を示す参考図である。
【図６】実施形態の雨音軽減ネットの構成に応じた雨音の計測の他の一例を示す参考図である。
【図７】実施形態の雨音軽減ネットを用いた雨音の実験結果の一例を示す参考図である。
【考案を実施するための形態】
【００１５】
以下、実施形態の雨音軽減ネット１０について、図１から図７を用いて説明する。図１（ａ）は、雨音軽減ネット１０の一例を示す模式図である。図１（ｂ）は、雨音軽減ネット１０の他の一例を示す模式図である。図２（ａ）は、雨音軽減ネット１０がキャンプ用テントに使用されている状態を示す参考図である。図２（ｂ）は、図２（ａ）の使用の状態を他の角度から見た参考図である。図２（ｃ）は、雨音軽減ネット１０が、キャンピングカーに使用されている状態を示す参考図である。図２（ｄ）は、図２（ｃ）の使用の状態を他の角度から見た参考図である。図３は、実施形態の雨音軽減ネットの具体的な一例を示す参考図であり、1枚目の本体部を２つ折り、つまり1枚目のネットを２つ折りにして用いている状態を示しており、また、ゴムバンドまたは紐で２つ折りのネットを縮ませて使用している状態を示している。また、１枚目の２つ折りのネットの上部を覆うための２枚目のネットを示している。図４は、実施形態の雨音軽減ネットの本体部に用いるネットの仕様の一例を示す参考図であり、図に示すように雨音の目標値を設定して、４種類の本体部、つまり４種類のネットを選択して、これらを用いて実験を行うことを示している。図５は、実施形態の雨音軽減ネットの構成に応じた雨音の計測の一例を示す参考図であり、図４に示す４種類のネットを用いて、１枚の場合、２枚の場合、３枚の場合、及び縮ませた場合における雨音を計測した結果を示している。図６は、実施形態の雨音軽減ネットの構成に応じた雨音の計測の他の一例を示す参考図であり、テント屋根シートと雨音軽減ネットの間に空間を設けた状態での実験結果である。図７は、実施形態の雨音軽減ネットを用いた雨音の実験結果の一例を示す参考図であり、ドーム型テント及び２枚シート型の実験結果の評価を示している。これらの実験の結果により、本考案の構成による効果が実証されていることが分かる。なお、これらの図は、一例であり、これらに限定されず、キャンプ用テントなどの形状に合わせ雨音軽減ネット１００を設計することができる。また、これらの図において、雨音軽減ネット１０に網目が用いられていることを示している。
【００１６】
雨音軽減ネット１０は、対象物２０、この例においてはキャンプ用テントまたはキャンピングカーである対象物２０を覆うように形成されており、対象物２０に雨が当たることにより発生する雨音を軽減させることを目的として開発されてものである。なお、対象物２０は、この例において、キャンプ用テントまたはキャンピングカーであるが、これらに限定されず、雨音軽減ネット１０は、適宜最適な対象部を選択することができる。
【００１７】
雨音軽減ネット１０は、本体部１１と、本体部１１の幅を調整するために本体部１１に設けられている本体部幅調整部１２と、本体部１１と一体的になるように形成され対象物２０を覆う状態を安定させ固定させるための支持部１３を有している。
【００１８】
本体部１１は、予め定められた横の幅と、予め定められた縦の幅を有しており、また、本体部１１は、予め定められた横方向の間隔と、予め定められた縦方向の間隔を有している網目を有している。雨音軽減ネット１０が、このような網目を有していることにより、この網目に当たった雨が分散することで、対象物に当たる雨音を軽減することができる構成となっている。
【００１９】
雨音軽減ネット１０は、一例として、本体部１１がポリエチレンで形成されており、本体部１１の予め定められた横の幅と前記本体部の予め定められた縦の幅のそれぞれは、略５．０ｍと略２．０ｍで形成されている。また、本体部１１の網目の定められた横方向の間隔と予め定められた縦方向の間隔のそれぞれは、例えば、略１．１０ｍｍと略１．１０ｍｍ、略１．２０ｍｍと略１．２０ｍｍ、略１.２３ｍｍと略１．２３ｍｍ、または、略３.１１と略３．１１である。また、本体部１１は、２つ折りになるように構成されている２つ折り本体部であってもよく、また、本体部１１と上記の２つ折り本体部を有する構成であってもよく、この場合、上記の２つ折り本体部の上部を本体部１１が覆うように構成するとよく、このように構成することにより、雨音軽減ネット１０の雨音軽減の効果がより顕著なものとなる。なお、上記の数値は一例であり、これらに限定されず、対象物２０の大きさに応じて適宜最適な数値を有するものにすればよく、網目の間隔は、対象物の素材などに応じて適宜最適な数値に設計することができ、また、素材もポリエチレンに限定されず最適なものを選択すればよい。
【００２０】
雨音軽減ネット１０の対象物２０が、キャンプ用テントの場合において、支持部１３は、先端がかぎ状の部材を有する紐であり、ペグなどに引っ掛けることができる構成となっている。また、この例においては、本体部幅調整部１２は、本体部１１の長手方向に設けられている紐またはゴムバンドであり、紐またはゴムバンドは、本体部１１の長手方向を縮ませることができ、本体部１１をたるんだ状態でセッティングすることができる。例えば、先端がかぎ状の紐を用いてペグに引っ掛けて、雨音軽減ネット１０によるキャンプ用テントの覆いを安定且つ固定させ、上記のとおり本体部幅調整部１２による縮みでたるんだ状態が保たれていることにより、より雨音を軽減させることができる。
【００２１】
他の例として、雨音軽減ネット１０の対象物２０が、キャンプ用テントの場合において、支持部１３は、先端がかぎ状の部材を有する紐であり、ペグなどに引っ掛けることができる構成となっている。また、この例においては、本体部幅調整部１２は、本体部１１の長手方向の中央部分に設けられているゴムであり、このゴムは、本体部１１の長手方向を縮ませることができ、本体部１１をたるんだ状態でセッティングすることができる。例えば、先端がかぎ状の紐を用いてペグに引っ掛けて、雨音軽減ネット１０によるキャンプ用テントの覆いを安定且つ固定させ、上記のとおり本体部幅調整部１２による縮みでたるんだ状態が保たれていることにより、より雨音を軽減させることができる。
【００２２】
雨音軽減ネット１０の対象物が、キャンピングカーの場合において、支持部１３は、先端がマグネットで形成されている部材を有する紐であり、このマグネットを用いてキャンピングカーの部分に磁力で固着させることができる構成となっている。また、この例においては、本体部幅調整部１２は、本体部１１の長手方向に設けられている紐またはゴムバンドであり、
紐またはゴムバンドを用いて本体部１１の長手方向を縮ませることができ、本体部１１をたるんだ状態でセッティングすることができる。例えば、マグネットをキャンピングカーの一部に磁力で固着させることで、雨音軽減ネット１０によるキャンピングカーの覆いを安定且つ固定させ、上記のとおり本体部幅調整部１２による縮みでたるんだ状態が保たれていることにより、より雨音を軽減させることができる。
【００２３】
他の例として、雨音軽減ネット１０の対象物が、キャンピングカーの場合において、支持部１３は、先端がマグネットで形成されている部材を有する紐であり、このマグネットを用いてキャンピングカーの部分に磁力で固着させることができる構成となっている。また、この例においては、本体部幅調整部１２は、本体部１１の長手方向の中央部に設けられているゴムであり、このゴムを用いて本体部１１の長手方向を縮ませることができ、本体部１１をたるんだ状態でセッティングすることができる。例えば、マグネットをキャンピングカーの一部に磁力で固着させることで、雨音軽減ネット１０によるキャンピングカーの覆いを安定且つ固定させ、上記のとおり本体部幅調整部１２による縮みでたるんだ状態が保たれていることにより、より雨音を軽減させることができる。
【００２４】
上記のとおり、雨音軽減ネット１０は、特に、ポリエチレンで形成されているキャンプ用のテントでの使用において、外部からの音、特に余計な雨音を、網目で分散させることにより取り除くことができ、雨音に対する苦痛を改善することができ、快適に過ごすことができる優れた効果を有するものである。また、雨音軽減ネット１０は、本体部幅調整部１２を有しており、本体部１１にたるみが生じるように構成されており雨音をより効果的に軽減させることができる。なお、本体部１１は、一枚のシートで形成されているが、このシートを重ねる構成であってもよい。つまり複数のシートを用いることで、雨音の削減をより効果的にすることができる。また、雨音軽減ネット１０の特徴として、簡易に持ち運ぶことができ、装着も簡単であり時間を要しないものである。
【００２５】
上記の構成を有する雨音軽減ネット１０の特徴を以下に説明する。雨音軽減ネット１０は、効果を向上させるために、網目を小さくしたネットへ変更してもよく、本体部、つまりネットを２枚使用してもよく、１枚目のネットを２つ折りにして、且つ、２つ折りにしたネットを縮ませ、そして、２枚目の本体部、つまり２枚目のネットで２つ折りにした１枚目のネットを覆いかぶせることにより、テントの屋根部分を３枚のネットで重ねて覆うことにより雨音の軽減効果が顕著なものとなっている。また、ネットを縮ませるためのゴムバンドまたは紐の使用において簡単に作業ができるようになっている。このような雨音軽減ネットの特徴は、車用での使用においてもキャンプテントと同じように可能となっている。さらに特徴を整理すると、１枚目のネットを縮ませることで、雨音がより効果的に軽減され、ネットが濡れている場合において開いた状態で水分を叩くことで水分を飛ばせ収納することができる。つまり水切りがよく、また、ネットであることにより軽くかさばらないものである。加えて、車の屋根での使用において、雨音軽減ネットは、テントの場合と同様に設置することができ雨音を軽減させることができる。また、使用において固定は、例えば、紐をドアなどに挟むことにより車体に傷をつけずに固定することができる。
【００２６】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２７】
また、本考案の雨音軽減ネットの大きさや形状、素材の材質、厚さ、重さなどについては多様な実施形態が可能であり、本実施形態と異なる形態による実施は、本考案の技術的範囲に含まれる。
【符号の説明】
【００２８】
１０    雨音軽減ネット
１１    本体部
１２    本体部幅調整部
１３    支持部
２０    対象物
【図１】
0003230474.tif 000003
【図２】
0003230474.tif 000004
【図３】
0003230474.tif 000005
【図４】
0003230474.tif 000006
【図５】
0003230474.tif 000007
【図６】
0003230474.tif 000008
【図７】
0003230474.tif 000009
【手続補正書】
【提出日】令和2年11月12日(2020.11.12)
【手続補正１】
【補正対象書類名】実用新案登録請求の範囲
【補正対象項目名】全文
【補正方法】変更
【補正の内容】
【実用新案登録請求の範囲】
【請求項１】
対象物を覆うように形成されており、前記対象物に雨が当たることにより発生する雨音を軽減させる雨音軽減ネットであり、
本体部と、前記本体部の幅を調整する本体部幅調整部と、前記本体部と一体的になるように形成されており前記対象物を覆っている状態を安定させるための支持部を有し、
前記本体部は、予め定められた横の幅と、予め定められた縦の幅を有しており、
前記本体部は、予め定められた横方向の間隔と、予め定められた縦方向の間隔を有している網目を有していることを特徴とする雨音軽減ネット。
【請求項２】
前記本体部は、ポリエチレンで形成されており、
前記本体部の予め定められた横の幅と前記本体部の予め定められた縦の幅のそれぞれは、略５．０ｍと略２．０ｍであり、
前記本体部の前記網目の定められた横方向の間隔と予め定められた縦方向の間隔のそれぞれは、略１．１０ｍｍと略１．１０ｍｍ、略１．２０ｍｍと略１．２０ｍｍ、または、略１.２３ｍｍと略１．２３ｍｍであることを特徴とする請求項１に記載の雨音軽減ネット。
【請求項３】
前記本体部は、２つ折りになるように構成されている２つ折り本体部であることを特徴とする請求項１または請求項２に記載の雨音軽減ネット。
【請求項４】
前記対象物は、キャンプ用テントであり、
前記支持部は、先端がかぎ状の部材を有する紐であり、
前記本体部幅調整部は、前記本体部の長手方向に設けられている紐またはゴムバンドであり、
前記紐またはゴムバンドを用いて前記本体部の長手方向を縮ませるようにして、前記先端がかぎ状の紐を用いてペグに引っ掛けて、前記キャンプ用テントの覆いを固定させることにより雨音を軽減させることを特徴とする請求項１から請求項３のいずれかに記載の雨音軽減ネット。
【請求項５】
前記対象物は、キャンプ用テントであり、
前記支持部は、先端がかぎ状の部材を有する紐であり、
前記本体部幅調整部は、前記本体部の長手方向の中央部分に設けられているゴムであり、
前記ゴムを用いて前記本体部の長手方向の中心部分を縮ませるようにして、前記先端がかぎ状の紐を用いてペグに引っ掛けて、前記キャンプ用テントの覆いを固定させることにより雨音を軽減させることを特徴とする請求項１から請求項３のいずれかに記載の雨音軽減ネット。
【請求項６】
前記対象物は、キャンピングカーであり、
前記支持部は、先端がマグネットで形成されている部材を有する紐であり、
前記本体部幅調整部は、前記本体部の長手方向に設けられている紐またはゴムバンドであり、
前記紐またはゴムバンドを用いて前記本体部の長手方向を縮ませるようにして、先端がマグネットで形成されている部材を用いて前記キャンピングカーに固着させて、前記キャンピングカーの覆いを固定させることにより雨音を軽減させることを特徴とする請求項１から請求項３のいずれかに記載の雨音軽減ネット。
【請求項７】
前記対象物は、キャンピングカーであり、
前記支持部は、先端がマグネットで形成されている部材を有する紐であり、
前記本体部幅調整部は、前記本体部の長手方向の中央部分に設けられているゴムであり、
前記紐ゴムを用いて前記本体部の長手方向の中心部分を縮ませるようにして、先端がマグネットで形成されている部材を用いて前記キャンピングカーに固着させて、前記キャンピングカーの覆いを固定させることにより雨音を軽減させることを特徴とする請求項１から請求項３のいずれかに記載の雨音軽減ネット。